(57)【要約】【課題】短期間において、かつ大量に使用される簡易案内看板の設置を迅速かつ効果的に施設し、再利用が可能な手法を提供する。【解決手段】屋内外における常設設置看板もしくは移動式設置看板において広告表示が簡単かつ容易に差し替え可能な柔軟性かつ耐久性を有する透明もしくは半透明なプラスチック製のカードケースを利用した立て置き簡易看板を使用して、広告表示が変わるごとに何度となく取替えを容易にすることを目的としたことを特徴とした立て置き簡易看板を提供する。また降雨時におけるカードケースの取替えを容易にすると同時に、風によるカードケースの飛散の防止、密着防止する構成を持つことにより利便性よく再利用することが容易な立て置き簡易看板を提供できる。【選択図】   図３
2010243795.tif 000002
【特許請求の範囲】
【請求項１】
屋内における常設設置看板もしくは移動式設置看板、屋外の歩道もしくは歩道と車道とが区画された路上において常設設置もしくは移動式設置看板において広告表示が簡単かつ容易に差し替え可能な柔軟性かつ耐久性を有する透明もしくは半透明なプラスチック製のカードケース（１）を利用した立て置き簡易看板。
【請求項２】
耐久性があり左右の１辺、上下両辺を熱溶着したプラスチック製カードケース（１）に案内印刷した紙もしくは布を差込開口（１０）より差し入れ、左右の保持層（２）（４）、下層の保持層（６）（７）、上層の暴風カバー（３）を常設し、取替えを容易にすることを目的としたことを特徴とした立て置き簡易看板。
【請求項３】
降雨時におけるカードケース（１）の取替えを容易にするため、看板基板（１１）とプラスチック製
カードケース（１）の境界線に密着防止バー（８）を設置したことを特徴とする請求項１の立て置き簡易看板。
【発明の詳細な説明】
【技術分野】
【０００１】
本発明は、葬儀、案内広告、選挙用ポスター、その他各種の案内事項を表示した印刷物の取替えを容易にした屋内外用立て置き簡易看板に関するものである。
【０００２】
印刷物の保護を目的として、透明もしくは半透明の塩化ビニール樹脂もしくはアクリル、ポリカーボネート樹脂を使用した上下両辺と左右１辺（９）を熱溶着したカードケース（１）に差入れ開口（１０）より紙もしくは布製の印刷物を差し入れることにより、広告表示が変わるごとに何度となく容易に出し入れ可能な効果を生み出す。
【０００３】
同時に、立て置き簡易看板の移設を行うことなく、プラスチック製カードケース（１）を取り替えることのみにて、案内広告の変更を容易に行うことが出来る。
【０００４】
また、カードケース（１）を使用する目的として、屋外において使用する場合、降雨、降雪より印刷物を保護し、風によるカードケース（１）の飛散を防止する目的として、透明もしくは半透明の塩化ビニール樹脂もしくはアクリル、ポリカーボネート樹脂等の素材を使用した防風バー（３）を設置する。
【０００５】
降雨、降雪における毛細管現象によるカードケース（１）と看板基板（１１）の密着を防止するため、カードケース（１）の脱着を容易にする密着防止バー（８）を設置する場合もある。
【背景技術】
【０００６】
案内看板の使用する目的に応じて各種の設置方法、使用印刷物があり、葬儀、各種イベント案内、新規開店など、短期間での使用に際しては、長方形または正方形の枠体に案内次項を記載した紙、布、木質板、金属板を接着もしくは針金、ボルト締めまたは紐締めをし、電柱、樹木、柵、塀、柱、壁に貼付けして掲示するのが一般的であった。
【０００７】
葬儀、各種イベントについては、短期間の案内掲示のため、立て置き簡易看板に一般的なコピー用紙、サーマルロール紙、ラベルシートを印刷したものをその都度の貼り替え作業により変更している。
【０００８】
屋外に設置する立て置き簡易看板に使用する案内掲示のための印刷物は、降雨、降雪等の影響を受けるため、耐水性、接着強度を有する紙、布が必要となる。
【０００９】
従来の技術においては、降雨、降雪時においても貼り替えが可能な感熱式のサーマルロール紙の使用頻度が多い。しかしながら、風の影響を受け易く、貼り替え時の作業性に問題がある。
【００１０】
また、木質板や金属板などの立て置き簡易看板にいたっては、看板自体の取替え設置が必要となるため、部材経費、取替え作業費、などの費用が掛かり、費用対効果の面より問題がある。
【００１１】
同時に、取替え後の使用済み簡易看板の破棄については、産業廃棄物としての取扱いとなり、環境面での問題点があり現在の社会情勢から見た場合、反社会的な状況である。
【００１２】
以上のような案内掲示のため、立て置き簡易看板に対する種々な要求を満足するために、例えば特許文献１にてその対策技術が提案されている。
【００１３】
この特許文献１にて提案されている「多用途を有する簡易看板」は、簡易看板の表面に袋状の表示体を設け、必要な案内事項を表示してなる表示物を差込み自在とし、取付け、取外し作業を簡素化し、再利用可能なことを目的とした簡易看板の記載がある。
【００１４】
そして、この特許文献１にて提案されている「表示体の形状を楕円形状、円筒形状とし、容易に変形可能で持ち運びが容易で柔軟性があり文字等を印刷し易く、汚れが落ちやすい塩化ビニール等の素材を短形状の表示体」の記載がある。
【００１５】
また、表示体の材質を柔軟性のある短形の透明ビニール等の素材としており、看板本体との取付け方法の記述がなされておらず、屋外での使用に際しての風力の影響を考慮していない。また、屋外に軟質の透明ビニール等の素材を使用した場合の紫外線劣化による硬化不良を考慮していない。
【００１６】
なお、この特許文献１の段落００１４には、以下の記載がある。
「看板本体に熱溶着して形成された表示体は、左右、上部が熱溶着されているため下辺の開口部よりの雨水の浸透のおそれがなく、同時に差込まれた紙片等の表示物が表示体から抜け出るおそれはない。また、長期間の使用等によって表示体の素材であるビニールにたるみが生じた場合であっても表示体下辺開口部の内側に粘着性の両面テープ等を利用することによって、表示物のずり落ちは防止できる」
【００１７】
雨水等が表示体への浸入を防ぐため、左右、上部に熱溶着した表示体の記述があるが、屋外に使用する場合、雨水の侵入は左右上部は当然のことであるが、風の影響などにより、下層部よりの雨水の浸入が考えられる。同時に、繰り返し使用する場合、粘着性の両面テープの耐久性、汚染性などによる接着性の低下が危惧される。
【００１８】
いずれにしても、この特許文献１の技術では、屋外での使用に際しての表示体の劣化による再利用の限界性、設置作業の難しさに関して言及していない。
柔軟性を保有する塩化ビニール製表示体の化学変化による物性低下が、その再利用性性を阻害している問題点に全く気付いていない。
【先行技術文献】
【特許文献】
【００１９】
【特許文献１】実用新案公開平６−２１０８６号公報、要約、段落０００９  ００１４
【発明の概要】
【発明が解決しようとする課題】
【００２０】
本発明は、短期間にて使用される案内立て簡易看板の有効かつ設置の利便性に関するものであり、硬質プラスチックを表示体としてコピー用紙もしくは樹脂製の案内表示物を表示体すなわち再利用可能なカードケース（１）を案内立て簡易看板に差込み、通行者、車乗者に案内広告を告知する手段を提供するものである。
【００２１】
同時に、図１に記載した実施例に従い、使用する表示体を正方形状もしくは長方形状のカード差込形状のケースを使用して案内広告物を一般的なコピー機もしくはオフセット印刷機による印刷物を差込口（１０）より実施例図２のようにカードケース（１）に差込み案内広告体として使用する。
【００２２】
前記００２０において使用するカードケース（１）は、図２に示した差込口（１０）より内部に繰り返し差込み使用することを目的とし、カードケース（１）が破損、欠落が発生するまで使用する。
【００２３】
短期間での使用目的の多くの案内広告簡易看板を屋外に於いて使用する場合、取替えに要する時間、風による脱落の危険性を回避する手法、降雨による案内広告物の印刷を保護する手法が課題である。
【００２４】
そこで、本発明者等は、００２３での問題点を解決する手段として、看板基板を常設的に設置し、案内広告表示体の掲載広告内容を取替えることにより、再利用による資源の有効利用かつ利便性の向上を考慮し本発明を完成したのである。
【００２５】
すなわち、本発明の目的とするところは、屋内外に設置する常設設置看板もしくは移動式設置看板の広告表示を簡単かつ容易に差し替え可能な立て置き案内広告簡易看板の構成を提供するところにある。
【課題を解決するための手段】
【００２６】
本発明の採った手段は、請求項１に記述したとおり「広告表示が簡単かつ容易に差し替え可能な柔軟性かつ耐久性を有する透明もしくは半透明なプラスチック製のカードケース（１）を使用し繰り返し利用する」ことである。
【００２７】
０００４、００２６におけるプラスチック製のカードケース（１）の組成としては、設置する場所に応じて、熱可塑性を有する塩化ビニール樹脂、アクリル樹脂、ポリカーボネート樹脂もしくは繊維強化樹脂、ガラス繊維を含有する樹脂により成形されたものがふさわしい。
【００２８】
適応する簡易案内看板は、０００１、０００３において記述した常設式もしくは、移動式簡易案内看板を対象とする。
【００２９】
図３は、請求項１及び請求項２及び請求項３の全体構成を示すものである。常設式もしくは、移動式簡易案内看板に脱着可能なプラスチック製のカードケース（１）を差込んだものである。
【００３０】
００２１、００２７において記述したプラスチック製のカードケース（１）は、使用場所に応じた組成を持つ案内広告表示体であり、図1に記載した幅は、５０ｍｍから１０００ｍｍまでの長さを有する正方形状もしくは長方形状であり、図２に記載した厚みは、１ｍｍから１０ｍｍまでのものを使用する。
【００３１】
図４は、請求項２におけるプラスチック製のカードケース（１）を常設式もしくは、移動式簡易案内看板に左右の保持を目的として簡易案内看板の基板に取付けるフレームである。基本的には幅の異なる保持層上部２と保持層下部４の２層構造もしくは一体型構造となっていることを特徴とする。カードケース（１）は、看板基板１１と保持層上部２の差込開口１０より上部より差込み、左右下部カードケース固定層５まで差込む。
【００３２】
左右の保持層下部４は、カードケース（１）を挟み込むことを目的とし、左右の保持層上部２はカードケース（１）を押さえ込むことを目的とするため、その幅は、必然的に保持層上部２は保持層下部４より幅広の長さとなる。幅の差は、1ｍｍ以上、５０ｍｍ以内が好ましい。
【００３３】
左右の保持層下部４の幅は、カードケース（１）の幅より０．５ｍｍから５ｍｍ長く設置し、保持層下部４の厚みはカードケース（１）の厚みより０．５ｍｍ以上の隙間を開けることにより、０００３にて記述した取替えを容易にすることが可能となる。
【００３４】
また、００３１における左右下部カードケース固定層５は、必ずしも必要とはしない。降雨時の雨水の浸入を防ぐ目的により左右下部カードケース固定層５を省くこともある。
【００３５】
図５は、００３１における下部カードケース保持層を表記しており、カードケース（１）を下部にて保持することを目的として設置する。
【００３６】
保持層下部６の厚みは００３２同様にカードケース（１）の厚みより０．５ｍｍ以上の隙間を開けることにより、０００３にて記述した取替えを容易にすることが可能となる。
【００３７】
防風カバー３、保持層上部２、保持層下部４、下部カードケース保持層６、下部カードケース保持層７は、設置する場所に応じて、熱可塑性を有する塩化ビニール樹脂、アクリル樹脂、ポリカーボネート樹脂もしくは繊維強化樹脂、ガラス繊維を含有する樹脂により成形されたものがふさわしい。
【００３８】
図６は、０００４にて記述したカードケース（１）の風による飛散、脱着防止を目的として透明な棒状のバーを左右の保持層上部２の上に設置することを記した図である。有効幅は、００３７に記述した材質もしくは使用場所により異なり、５ｍｍから１００ｍｍまでが好ましい。
【００３９】
請求項３に係る発明は、０００５に於いて記述しており、図７は、降雨時に於いてカードケース（１）と看板基板１１との毛細管現象による高密着によりカードケース（１）の取替えが困難にならないよう看板基板１１に凹凸をつけることにより密着防止バー８を設置している。
【００４０】
施設する密着防止バー８の本数は、１本から２本程度でよい。また厚みは０．１ｍｍから２ｍｍが好ましい。また、設置しない場合も想定される。
【発明の効果】
【００４１】
以上、説明した通り、請求項1に係る図３に示した構成による移動式簡易看板もしくは常設設置簡易看板の基板部分に案内掲示体であるカードケース（１）を脱着な形態に作り変えることにより、案内広告の内容が変わっても容易にカードケース（１）のみを差し替えることにより周囲の人に迅速に伝達することが可能となる。
【００４２】
同時に前記００２１、００２２、００２４に明記した環境面より資源の有効活用が期待できる。
【００４３】
大量の移動式簡易看板もしくは常設設置簡易看板を短期間に使用し、かつ大量に設置する必要がある葬儀、各種イベント案内、新規開店などでの使用に際しては最良な手法を提供できる。
【図面の簡単な説明】
【００４４】
【図１】本発明に使用するプラスチック樹脂製カードケースの概略平面図である。
【図２】本発明に使用するプラスチック樹脂製カードケースの概略断面図である。
【図３】本発明に関するプラスチック樹脂製カードケースの設置構成の基本概略図である。
【図４】本発明に使用するプラスチック樹脂製カードケースを固定する左右の保持層の平面図と断面図である。
【図５】本発明に使用するプラスチック樹脂製カードケースを固定する下部の保持層の平面図と断面図である。
【図６】本発明に使用するプラスチック樹脂製カードケースを固定する上部の防風バーの平面図と断面図である。
【図７】本発明に使用するプラスチック樹脂製カードケースの密着を防止するために固定するバーの平面図と断面図である。
【発明を実施するための形態】
【００４５】
次に、上記のように構成した請求項１に係る発明を図面に示した最良の形態である図３の簡易看板について説明するが、この最良形態に係る移動式簡易看板もしくは常設設置簡易看板は、上記各請求項に係る発明の全てを実質的に含むものである。
【００４６】
さて、図１には、本発明に係るプラスチック製カードケースの平面図の面図が示してある。図２ではこのプラスチック製カードケースの断面構成図を図示してある。このカードケースに案内広告物を差し入れることにより搬送が容易になり、広告物の差し替えを容易にしているのである。
【００４７】
本発明の最良の形態を図３は、示しており、使用する場所、目的、構成する材質により、すべての構成素材を使用しなくてもよい場合もある。
【符号の説明】
【００４８】
１  プラスチック製カードケース
２  左右カードケース保持層上部
３  プラスチック樹脂製防風カバー
４  左右カードケース保持層下部
５  左右下部カードケース下部固定層
６  下部カードケース保持層下部
７  下部カードケース保持層上部
８  カードケース密着防止バー
９  プラスチック樹脂製カードケースの熱溶着した部分
１０  印刷物の差込開口
１１  看板基板
１２  カードケース差込口
【図１】
2010243795.tif 000003
【図２】
2010243795.tif 000004
【図３】
2010243795.tif 000005
【図４】
2010243795.tif 000006
【図５】
2010243795.tif 000007
【図６】
2010243795.tif 000008
【図７】
2010243795.tif 000009